(57)【特許請求の範囲】
【請求項１】
容器体口頸部に嵌合させる装着筒内から垂直筒３を起立し、該垂直筒中間部からシリンダ８を、かつ上端部から射出筒９を、それぞれ前方突出して射出筒前端にノズル筒を嵌合させ、
又上記シリンダ内へ嵌合させたプランジャ１４前端部を、上記射出筒前部から垂下するトリガー１５の上部後面へ係合させたトリガー式液体噴出器において、
上記シリンダと垂直筒とを連通する液体出入孔１６よりも下方の垂直筒部分内面と、上記射出筒と垂直筒との連通部１７と液体出入孔１６との間の垂直筒部分内面とに、上向き環状段部状の吸込み弁座２４と係合段部３０とを付形し、
短棒状で外周面に適当数の突条２３を縦設した吸込み弁体２２と、円板２６中心から支持杆２７を起立すると共に円板２６外周から逆スカート状弾性筒２８を上外方へ拡開突出する吐出弁体２５とを、圧縮バネ片２９の下端と上端とに連結した弁部材２１を設け、
上記吸込み弁体２２を吸込み弁座２４上へ着座させると共に、逆スカート状弾性筒２８の上端部を、上記係合段部３０と連通部１７との間の垂直筒部分内壁面へ圧接させて吐出弁１９となし、
更に支持杆２７上端は垂直筒上面を閉塞する頂板部分下面へ当接させると共に円板２６下面と係合段部３０との間には適当間隙を設けてその係合段部３０を吐出弁体２５の下限停止部とした、
ことを特徴とするトリガー式液体噴出器。
【請求項２】
圧縮バネ片２９を波板断面形状に、複数屈曲部を連続する形状とすると共に弁部材２１を合成樹脂材で一体成形したことを特徴とする請求項１記載のトリガー式液体噴出器。
【発明の詳細な説明】
【０００１】
【発明の属する技術分野】
本発明はトリガー式液体噴出器に関する。
【０００２】
【従来の技術】
容器体口頸部に嵌合させる装着筒内から垂直筒を起立し、該垂直筒中間部からシリンダを、かつ上端部から射出筒を、それぞれ前方突出し、又上記シリンダ内へ嵌合させたプランジャ前端部を、上記射出筒前部から垂下するトリガーの上部後面へ係合させ、トリガー操作によるプランジャの前進，後退で容器体内液体を吸込み弁を介してシリンダ内へ吸込み、かつ該シリンダ内液体を吐出弁を介して射出筒前端へ嵌合させたノズル筒から噴出するよう設けた液体噴出器が広く用いられている。
【０００３】
【発明が解決しようとする課題】
上記トリガー式液体噴出器は、液体噴出操作後、射出筒前端に嵌合させたノズル筒のノズル孔内に残った液体がそのまま乾燥することとなり、するとその液体成分が結晶化して目塞りを来すことがあった。
【０００４】
本発明は、液体噴出操作後、シリンダ内負圧化により吸込み弁が開いてシリンダ内へ液体が吸込まれるに先立って、吐出弁体が吐出弁閉塞状態のまま適当寸法だけ下降して射出筒内を減圧し、該減圧により上記ノズル孔内に残っていた液体が射出筒内へ吸戻され、従って上記のようにノズル孔内に付着した液体がそのまま乾燥して目塞りを来すことがないよう設けたものである。
【０００５】
【課題を解決するための手段】
第１の手段として容器体口頸部に嵌合させる装着筒内から垂直筒３を起立し、該垂直筒中間部からシリンダ８を、かつ上端部から射出筒９を、それぞれ前方突出して射出筒前端にノズル筒を嵌合させ、
又上記シリンダ内へ嵌合させたプランジャ１４前端部を、上記射出筒前部から垂下するトリガー１５の上部後面へ係合させたトリガー式液体噴出器において、
上記シリンダと垂直筒とを連通する液体出入孔１６よりも下方の垂直筒部分内面と、上記射出筒と垂直筒との連通部１７と液体出入孔１６との間の垂直筒部分内面とに、上向き環状段部状の吸込み弁座２４と係合段部３０とを付形し、
短棒状で外周面に適当数の突条２３を縦設した吸込み弁体２２と、円板２６中心から支持杆２７を起立すると共に円板２６外周から逆スカート状弾性筒２８を上外方へ拡開突出する吐出弁体２５とを、圧縮バネ片２９の下端と上端とに連結した弁部材２１を設け、
上記吸込み弁体２２を吸込み弁座２４上へ着座させると共に、逆スカート状弾性筒２８の上端部を、上記係合段部３０と連通部１７との間の垂直筒部分内壁面へ圧接させて吐出弁１９となし、
更に支持杆２７上端は垂直筒上面を閉塞する頂板部分下面へ当接させると共に円板２６下面と係合段部３０との間には適当間隙を設けてその係合段部３０を吐出弁体２５の下限停止部とした。
【０００６】
第２の手段として、上記第１の手段を有すると共に圧縮バネ片２９を波板断面形状に、複数屈曲部を連続する形状とすると共に弁部材２１を合成樹脂材で一体成形した。
【０００７】
【発明の実施の形態】
まず従来知公知の構造について簡単に説明すると、１は容器体の口頸部、２はその口頸部外面へ螺合させた装着筒である。
【０００８】
装着筒２内からは垂直筒３を起立する。該垂直筒は通常図示のように連結部材４から起立する内筒３ａと、後述の噴出器本体が有する外筒３ｂとを嵌合固着させて形成する。
【０００９】
連結部材４は装着筒上端の内向きフランジ下面へ係合させた外向きフランジを有頂筒部５外面に付設し、その頂壁後部を貫設して上記内筒３ａを起立する。内筒下部内からは吸上げパイプ６を垂下する。
【００１０】
噴出器本体７は、上記内筒３ａ外面へ嵌合させた外筒３ｂ中間部からシリンダ８を、かつ上端から射出筒９を、それぞれ前方突出する。射出筒前端には別に設けたノズル嵌合筒１０を介して、ノズル孔１１を前壁中心に有するノズル筒１２を嵌合させる。連結部材４の有頂筒部５外面には、噴出器本体下面から垂設した筒部１３を嵌合させ、装着筒２と連結部材４と噴出器本体７とを一体的に連結する。
【００１１】
上記シリンダ８内へは前方付勢させてプランジャ１４が嵌合させてあり、該プランジャ前端部を、射出筒９前部から垂設したトリガー１５の上部後面へ係合させ、該トリガー操作により、吸上げパイプ６および吸込み弁１８、垂直筒３とシリンダ８内とを連通する液体出入孔１６を通って容器体内液体をシリンダ８内へ吸込み、又該シリンダ内液体が上記液体出入孔１６、吐出弁１９、垂直筒と射出筒との連通部１７、射出筒９を通ってノズル孔１１から噴出するよう設けてある。
【００１２】
本発明は、吸込み弁の弁体と吐出弁の弁体とを圧縮バネ片で連結した弁部材２１を設け、該弁部材を垂直筒３の上部内へ嵌合させた。
【００１３】
上記吸込み弁体２２は、短棒状で上部外周面に適当数の突条２３を縦設して形成し、それ等突条の先端円を垂直筒内径とほぼ同径とし、既述液体出入孔１６よりも下方の垂直筒部分内面に設けた上向き環状段部状の吸込み弁座２４上へ載置して吸込み弁１８を形成している。又吐出弁体２２は、円板２６中心から支持杆２７を起立すると共に円板外周から逆スカート状弾性筒２８を上外方へ拡開突出して形成している。それ等吸込み弁体２２の上面中心と吐出弁体の下面中心とを圧縮バネ片２９の下端と上端に連結する。圧縮バネ片は、図示例で波板断面形状に複数の屈曲部を連続する形状としているが、少数の螺条片で形成することも考えられる。但し図示例のように形成すれば、弁部材を合成樹脂材で一体成形することが容易となる。
【００１４】
吐出弁体２５は、既述液体出入孔１６よりも上方の垂直筒部分上部を上向き環状段部状の係合段部３０を介して大内径とし、その大内径部内へ吐出弁体２５を嵌合させる。該嵌合により逆スカート状弾性筒２８の上端外周は、垂直筒３と射出筒９との連通部１７よりも下方の垂直筒内壁面に圧接して吐出弁１９を形成し、又上記係合断部３０と吐出弁体の円板２６下面との間には適当の間隙が形成され、更に支持杆２７上端面は垂直筒３上面を閉塞する頂板部分下面へ接するものとする。
【００１５】
上記構成において、シリンダ内が充水された状態からトリガー１５を引寄せすると、吐出弁１９が開いてシリンダ内液体は射出筒９を通って噴出され、次にトリガー１５を離すとプランジャ１４前進によりシリンダ内は負圧化する。該負圧化により吸込み弁体２２が上昇することで吸込み弁１８が開く筈であるが、本発明では係合段部３０と円板２６との間に間隙を設けているから吐出弁体２５も同時に、ないしは吸込み弁体上昇に先だって下降することとなる。円板２６が係合段部３０に接することで吐出弁体は下降を停止し、吸込み弁体２２の突条２３間の間隙を通ってシリンダ８内に液体が吸込まれる。シリンダ内への吸込み完了により圧縮バネ片２９が吸込み弁体および吐出弁体を元の位置まで押戻す。
【００１６】
上記吐出弁体２５下降の際、射出筒９内は減圧され、ノズル孔１１を通って外気が流入することとなるから、該外気流入によりノズル孔内面に付着する液体は吸戻されることとなる。
【００１７】
【発明の効果】
本発明は既述構成とするものであり、請求項１記載の発明はシリンダ内負圧化時に吸込み弁開放に先だち、まず吐出弁が吐出弁閉塞状態のままで係合段部３０へ円板２６が接するまで下降するよう設けたから、該下降による射出筒内の減圧による外気吸入でノズル孔１１内面に付着する液体は吸戻され、よってその付着液体乾燥による目塞りを防止することが出来る。
【００１８】
請求項２記載の発明は、上記請求項１記載発明の効果を併せ有すると共に、吸込み弁体２２と吐出弁体２５とを連結する圧縮バネ片２９を、波板断面形状に、複数屈曲部を連続する形状とすると共に吸込み弁体と圧縮バネ片と吐出弁体とで形成した弁部材２１を、合成樹脂材で一体成形したから、両弁体の形成および装着が容易である。
【図面の簡単な説明】
【図１】本発明液体噴出器の断面図である。
【図２】図１要部の拡大断面図である。
【図３】図２の吐出弁体が下降した状態を示す、断面図である。
【符号の説明】
２１…弁部材                                ２２…吸込み弁体
２５…吐出弁体                        ２８…逆スカート状弾性筒
２９…圧縮バネ片
【図１】
0003634105.tif 000002
【図２】
0003634105.tif 000003
【図３】
0003634105.tif 000004